(57)【要約】 【課題】  錠ケース内に、デッドボルトとラッチをそれぞれ施錠する二重施錠機構を合理的に設けること。【解決手段】  錠ケース５内に、駆動源６の駆動力又は人為的な操作力により施・解錠方向に回転するダルマ８と、このダルマが駆動すると、デッドストッパー９を施錠又は解除方向へ回動させるデッド用施・解錠手段１０と、デッドボルト１１が進退動すると、該デッドボルトに連動してラッチ１２を施錠又は解除するラッチストッパー１４及び該ラッチストッパー用バネ１５を備えたラッチ用施・解錠手段１３とをそれぞれ配設したことを特徴とする錠前の二重施錠機構。【選択図】  図１
2005240405.tif 000002
【特許請求の範囲】
【請求項１】
錠ケース５内に、駆動源６の駆動力又は人為的な操作力により施・解錠方向に回転するダルマ８と、このダルマが駆動すると、デッドストッパー９を施錠又は解除方向へ回動させるデッド用施・解錠手段１０と、デッドボルト１１が進退動すると、該デッドボルトに連動してラッチ１２を施錠又は解除するラッチストッパー１４及び該ラッチストッパー用バネ１５を備えたラッチ用施・解錠手段１３とをそれぞれ配設したことを特徴とする錠前の二重施錠機構。
【請求項２】
請求項１に於いて、デッドボルト１１には、デッドストッパー用第1係合部４３と、ラッチストッパー用第２係合部４５とがそれぞれ形成されていることを特徴とする錠前の二重施錠機構。
【請求項３】
請求項１又は請求項２に於いて、ラッチストッパー１４は、固定支軸に軸支され、デッドボルトが進出するとラッチストッパー用バネ１５のバネ力により係止方向へ回転し、一方、デッドボルトの後退に伴いその突出係合部が直にデッドボルトの第２係合部４５に押されると、前記バネ１５のバネ力に抗して係止解除の方向へと回転することを特徴とする錠前の二重施錠機構。
【請求項４】
請求項１に於いて、縦長の錠ケース内に、上方から縦方向の駆動源、該駆動源の駆動力により作動する歯車伝達機構、該歯車伝達機構により駆動するダルマ、ダルマの駆動力により作動するデッド用施・解錠手段、該デッド用施・解錠手段により係止解除又は係止されるデッドボルト、該デッドボルトに進退動に連動してラッチを施錠又は解除するラッチ用施・解錠手段を、それぞれ作動可能に関連付けながら配設したことを特徴とする錠前の二重施錠機構。
【発明の詳細な説明】
【技術分野】
【０００１】
本発明は、デッドボルトとラッチをそれぞれ施錠する錠前の二重施錠機構に関する。
【背景技術】
【０００２】
特許文献１の図1乃至図５には、錠ケースに内装されたダルマと、一端部がこのダルマの駆動腕に取り付けられ、一方、他端部は錠ケースに横設された固定軸に取り付けられたダルマ駆動バネとから成り、前記ダマルを解錠方向に回転すると、ダルマの駆動腕の動きに追動する前記ダルマ駆動バネの中央部がデッドボルト用のストッパー片を押圧する方向へと移行することを特徴とする錠前のストッパー係合解除機構が開示されている。このストッパー係合解除機構は、ダルマの回転方向如何によってデッドボルトの施錠機構にも成る。また特許文献１の図６には、従来の一例として、本発明のデッド用施・解錠機構が記載されている。
【０００３】
一方、特許文献２には、錠箱の窓孔から錠箱内に入り込む操作部材の操作力に基づき、駆動部材、該駆動部材の駆動力により施・解錠方向へそれぞれ回動するラッチ用係脱部材を備えた錠前のラッチ係止解除機構が開示されている。このラッチ係止解除機構は、操作部材の移動方向如何によってラッチの施錠機構にも成る。
【０００４】
ところで、特許文献１は、デッドボルトを施錠することはできるが、ラッチを施錠することができない。一方、特許文献２はラッチを施錠することはできるが、デッドボルトを施錠することができないという問題点がある。
【特許文献１】特開２００２−２５０１６０号公報
【特許文献２】特開２００３−１３８８１８号公報
【発明の開示】
【発明が解決しようとする課題】
【０００５】
本発明の第１の目的は、錠ケース内に、デッドボルトとラッチをそれぞれ施錠する二重施錠機構を合理的に設けることである。第２の目的は、部品点数の削減化、構成部材の形態のシンプル化などにより、組合せ作業の効率化を図ることである。第３の目的は、各部材を合理的に配設し、錠ケースの内部空間を有効的に活用することである。
【課題を解決するための手段】
【０００６】
本発明の錠前の二重施錠機構は、錠ケース５内に、駆動源６の駆動力又は人為的な操作力により施・解錠方向に回転するダルマ８と、このダルマが駆動すると、デッドストッパー９を施錠又は解除方向へ回動させるデッド用施・解錠手段１０と、デッドボルト１１が進退動すると、該デッドボルトに連動してラッチ１２を施錠又は解除するラッチストッパー１４及び該ラッチストッパー用バネ１５を備えたラッチ用施・解錠手段１３とをそれぞれ配設したことを特徴とする。
【発明の効果】
【０００７】
（１）ダルマを駆動すると、デッド用施・解錠機構によって、デッドストッパーの係止が解除されてデッドボルトが錠ケースから進出する。この時デッドボルトに連動してラッチ用施・解錠手段のラッチストッパーが自動的にラッチを施錠するので、結局、ダルマの駆動力により、デッドボルトとラッチを同時に二重ロックすることができる。したがって、防犯対策に有効である。
（２）請求項２及び請求項３に記載の発明は、部品点数の削減化や構成部材の形態のシンプル化を図ることができるので、組合せ作業の効率化に貢献できる。
（３）請求項４に記載の発明は、各部材を合理的に組合せ、錠ケースの内部空間を有効的に活用することができる。
【発明を実施するための最良の形態】
【０００８】
以下、図１乃至図９に示す本発明を実施するための最良の形態により説明する。
【０００９】
（１）発明の実施の環境
まず図１を参照にして錠前の二重施錠機構Ｚの実施の環境と主要部材について簡単に説明する。Ｘは開閉扉１の中に収められる彫り込み型又は扉の内壁面に固定的に取り付けられる錠前である。一方、Ｙは戸枠２に固定的に取り付けられた受け金具である。受け金具Ｙには、上下方向に単数又は複数個の係合孔３ａ．３ｂが設けられ、これら上下の係合孔３ａ．３ｂには、デッドボルト１１並びにラッチ１２が係脱する。本実施例では、デッドボルト１１は上方の係合孔３ａに、一方、ラッチ１２は下方の係合孔３ｂに係脱する。
【００１０】
本発明の二重施錠機構Ｚの特定要件（請求項１）は、錠ケース５内に、（Ａ）駆動源６の駆動力により歯車伝達機構７を介して、又は人為的な操作力により施・解錠方向に回転するダルマ８と、（Ｂ）このダルマ８が駆動すると、デッドストッパー９を施錠又は解除方向へ回動させるデッド用施・解錠手段１０と、（Ｃ）デッドボルト１１が進退動すると、該デッドボルト１１に連動してラッチ１２を施錠又は解除するラッチストッパー１４及び該バネ１５を備えたラッチ用施・解錠手段１３とを配設したことである。以下、本発明の特定要件について順次説明するが、細部的な事項は図面及びその説明を割愛する。
【００１１】
（２）錠ケース
図１を参照にして開閉扉１に取り付けられた錠ケース５について説明する。錠ケース５は、ケース身５ａと、このケース身の一側面開口部を閉鎖するケース蓋５ｂとから成る。この図１では主に本発明の特定要件に必要な構成部材を示しているから、錠ケース５に形成した軸孔、取付け孔、案内部、嵌合孔を有する受け座等は省略している。
【００１２】
１６は錠ケース５の前側開口１７に固定されたフロントである。このフロント１６は、錠ケース５の前方に固定されている。１８は錠ケース５を開閉扉１に固定するための固着具である。
【００１３】
（３）駆動源６と歯車伝達機構７
図２に駆動源６と、該駆動源の駆動力により作動する歯車伝達機構７とを示す。駆動源６は、図示しないプリント基板ない制御手段と電気的に接続し、錠ケース５内の上方に縦方向に配設されている。図２を基準にすると、錠箱５の左上に固定的に設けられ、その出力軸１９は下方を指向している。駆動源６の一例としては、マイクロモータ等の電動機が用いられている。
【００１４】
歯車伝達機構７は、駆動源側のウォームギア２０と、このウォームギア２０とデッドボルト１１側の間欠歯車２１にそれぞれ個別的に噛合する伝動歯車２２とから成る。前記伝動歯車２２は、駆動源６の駆動力によって回転するウォームギア２０と噛合する第１伝動歯車２３と、この第１伝動歯車２３と共働回転可能であると共に、ウォームギア２０とダルマ８との間の空間に設けられた間欠歯車２１の噛合部分と噛合する第２伝動歯車２４とから構成され、デッドボルト１１の進出に異常事態が発生した時、前記第１伝動歯車２３は、第２伝動歯車２４に対して摩擦回転可能である。歯車伝達機構７のクラッチ機能を有する具体的構成は、本発明の限定要件ではないので、その説明を割愛する。
【００１５】
（４）ダルマ
錠ケース５に内装されたダルマ８（デッドカム）は、錠ケース５の受け座の嵌合孔に回動自在に設けられている。公知のようにダルマ８は人為的（キー又はサムターンの操作）な操作力によって回動し、デッドボルト１１の出入りを制御する。そのためにダルマ８は、図２で示すように受け座に嵌合するドラム形状の嵌合部８ａと、この嵌合部の周壁の中央部から半径方向に延伸する駆動腕８ｂとを有する。ま、ダルマ８は、その同芯軸方向に駆動源６の駆動力で歯車伝達機構２２の間欠歯車２１が回転した時に噛合する反面、人為的（キー又はサムターンの操作）な操作力で回動した場合には前記間欠歯車２１とは噛合しない（ダルマ８のみが単独で回転する）セレクトギア８ｃを有している。
【００１６】
（５）デッドストッパー９とデッド用施・解錠手段１０
図３にデッドストッパー９を施錠又は解除方向へ回動させるデッド用施・解錠手段１０を示す。デッド用施・解錠手段１０は、例えばダルマ８と、デッドストッパー９用押し下げ部材３１と、この押し下げ部材３１の基部をダルマ８の駆動腕８ｂに軸支する枢支ピン３２と、前記押し下げ部材３１の長杆部３１ａに巻装されたコイルバネ３３とから構成されている。
【００１７】
図１に錠ケース５にデッド用施・解錠手段１０を組み込んだ状態を示す。この図１を参照にして説明すると、３４は錠ケース５に設けられた押し下げ部材用案内短筒である。押し下げ部材３１は十手形状に形成され、その上端部は枢支ピン３２を介してダルマ８の駆動腕８ｂに軸支されている。前述した押し下げ部材３１の長杆部３１ａは案内短筒３４を貫通し、デッドストッパー９の上壁に形成した窓９ａに入り込んでいる。押し下げ部材３１の短杆部３１ｂはデッドボルト１１の上壁を押し下げることができる。
【００１８】
デッドストッパー９は、錠ケース５に横設軸架された第１固定支軸３５を介して軸支されている。このデッドストッパー９は、デッドボルト１１が錠ケース５から進出した施錠状態になった時、デッドボルト１１の中央下部の第１係合部に係合してデッドボルト１１の後退を阻止するためのものであるから、前記固定支軸３５に巻装されたデッドストッパー用付勢バネ３６のバネ力に抗して回動可能である。付勢バネ３６はデッドストッパー９をデッドボルト１１と係合する方向へ戻す機能を有する。
【００１９】
人差し指形状のデッドストッパー９は、図４で示すようにダルマ８の回転方向に対応して錠ケース５から進出したデッドボルト１１を施錠し、又は押し下げ部材３１によって押し下げられ、デッドボルト１１の錠ケース５へと後退を許容する。
【００２０】
さらに詳しく説明すると、デッドストッパー９は、例えば端面チャンネルに形成され、その係合先端部の上壁には突起傾斜状の摺接部９ｂ有している。この傾斜状摺接部９ｂはデッドボルト１１の下面と摺接可能である。
【００２１】
ここで、図４を参照にしてデッド用施・解錠手段１０の作用について簡単に説明する。例えばデッドボルト１１がダマル８の駆動腕８ｂによって押出されている状態（つまり施錠状態）から、サムターンの操作により、ダルマ８が解錠方向に回転すると、回転中、押し下げ部材３１の長杆部３１ａが案内短筒３４内を通過するにつれてコイルバネ３３は収縮し、それと同時に押し下げ部材３１の短杆部３１ｂがデッドストッパー９を、その付勢バネ３６のバネ力に抗して押し下げる。したがって、デッドボルト１１はデッドストッパー９から解放されるので、錠ケース５内へと後退可能となる。
【００２２】
上記の作動態様は、デッドボルト１１が逆方向（施錠方向）へ回転する場合も同様である。但し、デッドボルト１１が錠ケース５から進出した場合には、ダマル８の回転途中でデッドストッパー９は押し下げ部材３１に一旦押し下げられるものの、ダマル８の駆動腕８ｂが再び傾倒状態になると、付勢バネ３６のバネ力により、デッドボルト１１の第1係合部４３に係合する方向へと回転し、進出したデッドボルト１１を施錠する。
【００２３】
（６）デッドボルト
デッドボルト１１は、ダルマ８の下方に配設され、錠ケース５の案内部等を介して進退動可能に設けられている。図５を参照にしてデッドボルト１１の構成を説明する。４１はフロント１６の前側開口１７に案内されるブロック状係合頭部で、この係合頭部４１の側壁は正方形又は長方形をしている。４２は係合頭部４１の後端部の一側から水平状態に延びた胴部で、この胴部４２の略中央部下方の段差状部分は、前述したデッドストッパー９の先端部との関係では、第１係合部４３と成っている。胴部４２の一部を断面にすると、コ字型形状となる。
【００２４】
４４は胴部に連設する板状係合脚部で、本実施例では、この係合脚部４４の後端部下方は斜め方向にカットされ、ラッチ用施・解錠手段１３のラッチストッパー１４の親指状係合突起５１と係脱可能である。ここでは、ラッチストッパー１４と係脱可能なデッドボルト１１の後端部の係合部分を「第２係合部４５」と称する。
【００２５】
それ故に、デッドボルト１１は、上位の第１の固定支軸３５に軸支されたデッドストッパー９に対する第1係合部と、下位の第２の固定支軸３７に軸支されたラッチストッパー１４に対する第２係合部４５とを有する。なお、設計如何により、一つの固定枢軸で、デッドストッパー９及びラッチストッパー１４を軸支することも可能である。
【００２６】
さらにデッドボルト１１の構成について説明すると、係合脚部４４の上方には、親指と人差し指とを上方に向けたような格好のダルマ用の係合部４６、４７が対峙的に形成されている。これらの立ち上り状係合部４６、４７は、ダルマ８のカム的駆動腕８ｂが交互に当たる係合傾斜面４６ａ，４７ａを有する。また、係合脚部４４の側壁面には、錠ケース５の水平案内部に係合する単数又は複数個のスライドピン４８が突設されている。
【００２７】
（７）ラッチ用施・解錠手段１３  
ラッチ用施・解錠手段１３は、デッドボルト１１が進退動すると、該デッドボルト１１に連動してラッチ１２を施錠又は解除するラッチストッパー１４を備えている。ラッチストッパー１４は、本実施例では第２固定支軸３７に軸支され、かつ、該第２の固定支軸３７に中央部が巻装されたラッチストッパー用バネ１５のバネ力により係止（施錠）方向へ回転し、又は該バネ１５のバネ力に抗して係止解除（解錠）の方向へと回転する。
【００２８】
図６及び図７は、ラッチストッパー１４の一例を示している。図６を基準にすると、板体をＬ型状に折曲形成して作られたラッチストッパー１４は、後端部１４ａ側に親指状係合突起５１が上向きに形成されている。この係合部あるいは被係合部としての係合突起５１の指当てに相当する部分５１ａが、デッドボルト１１の第２係合部４５と当接係合する。
【００２９】
一方、先端部側１４ｂにラッチ１２と係脱するラッチ係合部５２が下向きに若干突出形成されている。符号５３は後端部１４ａ側に形成された遊嵌合孔で、この遊嵌合孔５３には、デッドストッパー９用の第１固定支軸３５が貫通している。５４は中央部に形成された軸孔で、この軸孔５４にラッチストッパー１４用の第２固定支軸３７が貫通する。その他ラッチストッパー１４は、先端部側１４ｂの内部にバネ１５の一端部を支持する支持ピン５５を単数又は複数個有している。
【００３０】
ラッチストッパー用バネ１５は、前述したように、その中央部は第２固定支軸３７に設けられ、一端部１５ａは前記支持ピン５５に支持され、一方、他端部１５ｂはラッチ１２の水平軸を案内する枠状支持片６０の上壁部６０ａに支持されている。枠状支持片６０は、錠ケース５の下方に固定され、前記上壁部６０ａに直交方向に連設する垂直壁部６０ｂに形成された貫通孔６１でラッチ１２の後退動を案内する。
【００３１】
（８）ラッチ１２
図８を参照にしてラッチ１２を説明する。ラッチ１２は反転ラッチに限定されないが、例え受け金具Ｙに係脱するラッチ本体６５、ラッチ本体６５を軸支する垂直軸６６、ラッチ本体６５用受け６６、この受け６６を内部に有するバネ端等の装着枠部分６７、この装着枠部分６７に先端部が固定的に入り込むラッチ軸６４、このラッチ軸６４に巻装されたラッチバネ６８を備えている。ラッチストッパー１４のラッチ係合部５２は、ラッチ本体６５或いはバネ端等の装着枠部分６７に係脱可能である。なお、ラッチバネ６８の一端部６８ａは装着枠部分６７に支持され、一方、他端部６８ｂは枠状支持片６０の垂直壁部６０ｂに添設したラッチバネ受け６９に支持されている。
【００３２】
（９）ラッチストッパー１４の作用
図１で示すように、デッドボルト１１の後端部の第２係合部４５がラッチストッパー１４の係合突起５１の指当てに相当する部分５１ａに当たると、ラッチストッパー１４は第２固定支軸３７を支点にしてバネ１５のバネ力に抗して反時計方向に回転する。したがって、ラッチストッパー１４のラッチ係合部５２はラッチ本体６５から離れる（解錠）。
【００３３】
これに対して、図９で示すように、デッドボルト１１がダルマ８の駆動力により錠ケース５から進出すると、ラッチストッパー１４の係合突起５１からデッドボルト１１の第２係合部４５が離れるから、ラッチストッパー１４はデッドボルト１１から解放され、バネ１５のバネ力により、ラッチ１２に係合する方向（時計方向）に回転し、ラッチ１２を係止（施錠）する。したがって、ラッチストッパー１４は、デッドボルト１１の進出に連動してラッチ１２を自動的に施錠する。
【実施例】
【００３４】
発明の実施の形態で示した実施例に於いて、縦長の錠ケース５の内部空間７０を有効的に活用するために、縦長の錠ケース５内に、上方から縦方向の駆動源６、該駆動源の駆動力により作動する歯車伝達機構７、該歯車伝達機構により駆動するダルマ８、ダルマの駆動力により作動するデッド用施・解錠手段１０、該デッド用施・解錠手段により係止解除又は係止されるデッドボルト１１、該デッドボルトに進退動に連動してラッチ１２を施錠又は解除するラッチ用施・解錠手段１３をそれぞれ作動可能に関連付けながら配設している。したがって、発明の目的如何によっては、駆動源６や歯車伝達機構７も発明の特定要件と成り得る。
【産業上の利用可能性】
【００３５】
本発明は、主に建具や錠前の業界で利用される。
【図面の簡単な説明】
【００３６】
図１乃至図９は本発明の最良の実施例を示す各説明図。
【図１】発明の実施形態の一例を示す概略説明図（解錠状態）
【図２】駆動源からデッドボルトまでの各部材の配列状態を示す概略説明図。
【図３】要部（デッド用施・解錠手段）の斜視からの説明図。
【図４】ダルマと回転方向とデッドストッパーの関係を示す説明図。
【図５】デッドボルトの説明図。
【図６】ラッチストッパーの説明図。
【図７】図６を基準として平面からの説明図。
【図８】ラッチの説明図。
【図９】施錠状態の概略説明図。
【符号の説明】
【００３７】
Ｘ…錠前、1…開閉扉、２…戸枠、Ｙ…受け金具、３ａ．３ｂ…係合孔、Ｚ…二重施錠機構、５…錠ケース、６…駆動源、７…歯車伝達機構、８…ダルマ、８ｂ…駆動腕、８ｃ…セレクトギア、９…デッドストッパー、９ａ…窓、９ｂ…傾斜状摺接部、１０…デッド用施・解錠手段、１１…デッドボルト、１２…ラッチ、１３…ラッチ用施・解錠手段、１４…ラッチストッパー、１５…バネ、１６…フロント、１９…出力軸、２０…ウォームギア、２１…間欠歯車、２２…伝動歯車、２３…第１伝動歯車、２４…第２伝動歯車、３１…押し下げ部材、３１ａ…長杆部、３１ｂ…短杆部、３２…枢支ピン、３３…コイルバネ、３４…案内短筒、３５…第１固定支軸、３６…デッドストッパー用付勢バネ、３７…第２固定支軸、４１…係合頭部、４２…胴部、４３…第１係合部、４４…板状係合脚部、４５…第２係合部、４６．４７…ダルマ用の係合部、４６ａ，４７ａ…係合傾斜面、４８…スライドピン、５１…親指状係合突起、５３…遊嵌合孔、５４…軸孔、５５…支持ピン、６０…枠状支持片、６５…ラッチ本体、７０…内部空間。
【図１】
2005240405.tif 000003
【図２】
2005240405.tif 000004
【図３】
2005240405.tif 000005
【図４】
2005240405.tif 000006
【図５】
2005240405.tif 000007
【図６】
2005240405.tif 000008
【図７】
2005240405.tif 000009
【図８】
2005240405.tif 000010
【図９】
2005240405.tif 000011